(57)【要約】【課題】通路で区画された複数の領域を有し、水平方向に複数配列すると各領域に出入り可能な連続した通路を備えた複合建築物を構築できる建築物を提供する。【解決手段】建築物１０は、複数の柱材１１，１２および梁材１３を縦横に配列し複数の節点１４をそれぞれ溶接して直方体状の格子構造体１５を形成し、この格子構造体１５の床面、天井面および壁面にそれぞれ板材１６ｆ，１６ｃ，１６ｗを装着して形成したものである。互いに対向する一対の壁面である正面側壁面および背面側壁面を貫通する通路１７が設けられている。また、通路１７の左右両側には、それぞれ出入口１８を有する壁体１６ａが設けられ、出入口１８にはドアおよび副ドア１９ｂが設けられている。ドアおよび副ドア１９ｂは、通路１７の前後方向に沿って互いに反対方向に変位して配置されている。【選択図】図１
2008190260.tif 000002
【特許請求の範囲】
【請求項１】
複数の柱材および梁材を縦横に配列し節点を接合して形成された直方体状の格子構造体の床面、天井面および壁面に板材を装着して構築した建築物において、対向する少なくとも一対の前記壁面を貫通する通路を設けたことを特徴とする建築物。
【請求項２】
前記通路の右側、左側の少なくとも一方に、出入口を有する壁体を設けた請求項１記載の建築物。
【請求項３】
前記柱材と前記梁材との節点を剛接合した請求項１または２記載の建築物。
【請求項４】
前記通路の左右両側に前記出入口を設けるとともに、前記通路の前後方向に沿って前記出入口を互いに反対方向に変位させて配置した請求項２または３記載の建築物。
【発明の詳細な説明】
【技術分野】
【０００１】
本発明は、簡易住宅、倉庫、作業室あるいは動物飼育施設などとして利用可能な建築物に関する。
【背景技術】
【０００２】
住宅、倉庫あるいは作業室などとして利用可能な簡易的な建築物としては、従来、様々な構造のものが開発されているが、本願発明に関連するものとして、輸送用コンテナを利用した簡易住宅、仮設住宅がある（例えば、特許文献１，２参照。）。特許文献１，２に記載の簡易住宅、仮設住宅は、輸送用コンテナの外周面にドアや窓を設けたり、その内部に生活用機材などを配置したりしたものである。
【０００３】
【特許文献１】特開平９−１９５５３３号公報
【特許文献２】特開２００６−２９９５５６号公報
【発明の開示】
【発明が解決しようとする課題】
【０００４】
特許文献１，２に記載の簡易住宅、仮設住宅はそれぞれ独立した構造であるため、単独で使用する場合には便利である。しかしながら、特許文献２の図８，図９に記載されているように、当該仮設住宅を複数配置した場合、一つの仮設住宅から他の仮設住宅へ出入りする度に室外へ出て移動しなければならないので面倒であり、悪天候のときは衣服や身体が濡れることがある。また、仮設住宅の周囲に移動通路となるスペースを確保しなければならない。
【０００５】
本発明が解決しようとする課題は、通路で区画された複数の領域を有し、水平方向に複数配列すると各領域に出入り可能な連続した通路を備えた複合建築物を構築することのできる建築物を提供することにある。
【課題を解決するための手段】
【０００６】
本発明の建築物は、複数の柱材および梁材を縦横に配列し節点を接合して形成された直方体状の格子構造体の床面、天井面および壁面に板材を装着して構築した建築物において、対向する少なくとも一対の前記壁面を貫通する通路を設けたことを特徴とする。このような構成とすれば、通路が建築物を水平方向に貫く状態となるため、建築物の内部には、通路によって区画された複数の領域が形成される。また、複数の当該建築物を、前記通路が同一直線上に並ぶような姿勢で水平方向に配列すると各領域に出入り可能な連続した通路を備えた複合建築物を構築することができる。
【０００７】
ここで、前記通路の右側、左側の少なくとも一方に、出入口を有する壁体を設ければ、建築物内の各領域は壁体によって通路から区画されるため、各領域の独立性、密閉性を高めることができる。
【０００８】
一方、前記柱材と前記梁材との節点を剛接合すれば、格子構造体の剛性が高まり変形し難くなるため、地震などの際の耐横揺れ性が高まるだけでなく、当該建築物を搬送する際の変形および損傷の防止に有効である。
【０００９】
また、前記通路の左右両側に前記出入口を設けるとともに、前記通路の前後方向に沿って前記出入口を互いに反対方向に変位させて配置すれば、通路両側の出入口が同時に開いているときなどに一方の領域から他方の領域内が視認されるのを防止することができる。また、ドア式の出入口を設けた場合、同時に開かれた通路両側のドア同士が干渉するのを防止することができる。
【発明の効果】
【００１０】
本発明により、通路で区画された複数の領域を有し、水平方向に複数配列すると各領域に出入り可能な連続した通路を備えた複合建築物を構築することのできる建築物を提供することができる。
【発明を実施するための最良の形態】
【００１１】
以下、図面に基づいて本発明の実施の形態について説明する。図１は本発明の実施の形態である建築物を示す斜視図、図２は前記建築物の正面図、図３は図２のＡ−Ａ線における断面図、図４は図２のＢ−Ｂ線における断面図、図５は図２のＣ−Ｃ線における断面図である。また、図６は前記建築物を構成する柱材の上端付近を示す斜視図、図７は前記建築物を構成する柱材の下端付近を示す斜視図である。
【００１２】
図１〜図５に示すように、本実施形態の建築物１０は、複数の柱材１１，１２および梁材１３を縦横に配列し、柱材１１，１２と梁材１３との交点である複数の節点１４をそれぞれ溶接して直方体状の格子構造体１５を形成し、この格子構造体１５の床面、天井面および壁面にそれぞれ板材１６ｆ，１６ｃ，１６ｗを装着して形成したものである。また、互いに対向する一対の壁面である正面側壁面および背面側壁面を貫通する通路１７が設けられている。後述する図８，図９に示すように、柱材１１，１２および梁材１３はいずれも横断面が四角形状で中空の金属管であり、柱材１１と梁材１３とは横断面の形状およびサイズが同じであり、柱材１２の横断面は柱材１１のそれより小さいサイズである。
【００１３】
図３〜図５に示すように、通路１７の左右両側には、それぞれ出入口１８を有する壁体１６ａが設けられ、出入口１８にはドア１９ａおよび副ドア１９ｂが設けられている。通常の出入りの際は、ノブ１９ｃを操作すればドア１９ａを開閉することができる。また、図３に示すように、ドア１９ａおよび副ドア１９ｂを観音開き状に開くと、出入口１８を大きく開放することができるため、大型物品などを出し入れする際に便利である。
【００１４】
一方、図６，図７に示すように、柱材１１の上端、下端はそれぞれ格子構造体１５の上面、下面より突出した状態にあり、これらの上端、下端にはそれぞれ貫通孔２０ａを有する緊結プレート２０が水平に固着されている。緊結プレート２０は柱材１１の横断面より広く、建築物１０の内側寄りに偏心した状態で取り付けられ、貫通孔２０ａは突出側に配置されている。柱材１１下端の緊結プレート２０は、建築物１０を所定の設置面に載置したときにアンカーボルト（図示せず）を挿入して固定するためのものである。また、柱材１１上端の緊結プレート２０は、複数の建築物１０を積層させて複合建築物を構築する場合、垂直方向に隣接する建築物１０同士を連結するための部材である。従って、下方に位置する建築物１０の柱材１１上端の緊結プレート２０と、上方に位置する建築物１０の柱材１１下端の緊結プレート２０とを密着させ貫通孔２０ａにボルト（図示せず）を挿通して締結することにより、両者を接合することができる。
【００１５】
図１〜図３に示すように、建築物１０においては、通路１７が建築物１０を水平方向に貫く状態に設けられているため、通路１７の両側には周囲から区画された複数の空間領域２５が形成されている。従って、これらの空間領域２５を居室、倉庫あるいは作業室などとして使用することができる。また、建築物１０内の各空間領域２５は壁体１６ａによって通路１７から区画されているため、独立性、密閉性に優れている。
【００１６】
さらに、図３に示すように、通路１７の両側にあるドア１９ａ，副ドア１９ｂは、通路１７の前後方向に沿って互いに反対方向に変位して配置されている。このため、通路１７両側のドア１９ａ、副ドア１９ｂが同時に開くことがあっても互いに干渉することがない。また、通路１７両側のドア１９ａがいずれも開放状態にあるとき、一方の空間領域２５内から他方の空間領域２５内を視認されることもない。
【００１７】
次に、図８，９に基づいて建築物１０の細部の構造について説明する。図８は図１に示す建築物を構成する柱材と梁材との接合構造を示す概略斜視図、図９は図３の矢線Ｄで示す部分の一部省略拡大図である。
【００１８】
図８に示すように、建築物１０を構成する柱材１１と梁材１３とは、これらの交点である節点１４において突合せ溶接することによって剛接合され、節点１４における柱材１１の内部には複数のダイアフラム２１が上下に間隔を隔てて溶接されている。また、図９に示すように、柱材１１，１２の空間領域２５側には、その長手方向に沿って帯板状のフラットバー２２，２３が溶接され、柱材１１，１２の間には断面Ｃ形状の板材１６ｗが外側から嵌め込まれ、板材１６ｗの周縁に設けられた折り曲げ部分がリベット２４を用いガスケット２８を介してフラットバー２２，２３に固定されている。
【００１９】
このような構造としたことにより、建築物１０の剛性を高めることができるため、外力が加わったときに変形し難くなる。このため、地震などの際の耐横揺れ性が高まることに加え、当該建築物１０を目的地まで搬送したり、既設の建築物１０を移設したりする際に加わる外力による変形および損傷の防止にも有効である。
【００２０】
次に、図１０〜図１３に基づいて複数の建築物１０を用いて構築した複合建築物について説明する。図１０は図１に示す建築物を複数配列して構築した複合建築物の斜視図、図１１は前記複合建築物の一部切欠平面図、図１２は前記複合建築物の一部切欠側面図、図１３は前記複合建築物の水平断面図である。なお、図１０〜図１３において、建築物１０の構成部分と同じ構造、機能を有する部分は図１〜図９に示す符号と同符号を付して説明を省略する。
【００２１】
図１０に示すように、複合建築物３０は、通路１７が同一直線上に並ぶような姿勢で複数の建築物１０を水平方向に配列することによって構築したものである。図１１，１２に示すように、隣り合う建築物１０同士は、それぞれの緊結プレート２０が互いに接触しない程度のクリアランスＳを設けて配置されている。そして、建築物１０の天井面および両側面においては、隣り合う建築物１０のクリアランスＳを覆うための板状のカバー材３１，３２が付設されている。カバー材３１，３２は、隣り合う建築物１０に、その両側の辺縁部３１ａ，３２ａをそれぞれ溶接（またはボルト締め）することによって固定されている。これらのカバー材３１，３２を付設したことにより、クリアランスＳを通じて風雨や塵埃などが複合建築物３０内へ侵入するのを防止することができる。
【００２２】
また、図１３に示すように、隣り合う建築物１０の通路１７の間にあるクリアランスＳを覆うための板状のカバー材３３が通路１７の歩行面上に付設されている。カバー材３３は、隣接する建築物１０の一方のみに、その辺縁部３３ａを溶接（またはボルト締め）することによって固定されている。カバー材３３を付設してクリアランスＳを覆ったことにより、通路１７を歩行する人がクリアランスＳに足をとられたり、躓いたりするのを防止することができる。
【００２３】
通路１７が同一直線上に並ぶような姿勢で複数の建築物１０を水平方向に配列することにより、図１３に示すように、各建築物１０の空間領域２５に出入り可能な連続した通路１７を備えた複合建築物３０を構築することができる。また、それぞれの空間領域２５への移動は通路１７を通って行うことができるため、複合建築物３０の周囲に移動用の通路を設ける必要がない。さらに、通路１７の上面は覆われているため、通路上に新たに屋根を設ける必要がなく、悪天候の際に通路１７内を移動しても衣服や身体が濡れることがない。
【００２４】
図１１，図１２で示したように、複合建築物３０を構成する複数の建築物１０はクリアランスＳを設けた状態で配列されているため、地震の際の横揺れによって損傷したり、破損したりすることがない。また、クリアランスＳを覆うカバー材３３は、隣り合う建築物１０の一方のみに、その片側の辺縁部３３ａを溶接（またはボルト締め）して固定されているため、建築物１０同士が拘束されない。このため、前述と同様、地震の際の横揺れによって損傷したり、破損したりすることを回避することができる。
【００２５】
図１０に示すように、複合建築物３０は４戸の建築物１０を配列することによって構築しているが、建築物１０の配置戸数は限定しないので、必要に応じて配置戸数を増減することができる。
【産業上の利用可能性】
【００２６】
本発明は、簡易住宅、倉庫、作業室あるいは動物飼育施設などとして広く利用することができる。
【図面の簡単な説明】
【００２７】
【図１】本発明の実施の形態である建築物を示す斜視図である。
【図２】図１に示す建築物の正面図である。
【図３】図２のＡ−Ａ線における断面図である。
【図４】図２のＢ−Ｂ線における断面図である。
【図５】図２のＣ−Ｃ線における断面図である。
【図６】図１に示す建築物を構成する柱材の上端付近を示す斜視図である。
【図７】図１に示す建築物を構成する柱材の下端付近を示す斜視図である。
【図８】図１に示す建築物を構成する柱材と梁材との接合構造を示す概略斜視図である。
【図９】図３の矢線Ｄで示す部分の一部省略拡大図である。
【図１０】図１に示す建築物を複数配列して構築した複合建築物の斜視図である。
【図１１】図１０に示す複合建築物の一部切欠平面図である。
【図１２】図１０に示す複合建築物の一部切欠側面図である。
【図１３】図１０に示す複合建築物の水平断面図である。
【符号の説明】
【００２８】
１０  建築物
１１，１２  柱材
１３  梁材
１４  節点
１５  格子構造体
１６ａ  壁体
１６ｃ，１６ｆ，１６ｗ  板材
１７  通路
１８  出入口
１９ａ  ドア
１９ｂ  副ドア
１９ｃ  ノブ
２０  緊結プレート
２０ａ  貫通孔
２１  ダイアフラム
２２，２３  フラットバー
２４  リベット
２５  空間領域
２８  ガスケット
３０  複合建築物
３１，３２，３３  カバー材
３１，３２，３３  辺縁部
Ｓ  クリアランス
【図１】
2008190260.tif 000003
【図２】
2008190260.tif 000004
【図３】
2008190260.tif 000005
【図４】
2008190260.tif 000006
【図５】
2008190260.tif 000007
【図６】
2008190260.tif 000008
【図７】
2008190260.tif 000009
【図８】
2008190260.tif 000010
【図９】
2008190260.tif 000011
【図１０】
2008190260.tif 000012
【図１１】
2008190260.tif 000013
【図１２】
2008190260.tif 000014
【図１３】
2008190260.tif 000015